(57)【特許請求の範囲】
【請求項１】
着脱可能な第１の記録媒体から情報を読み出す情報読み出し部と、
着脱可能な第２の記録媒体が接続され情報の読み書き機能を有する接続部と、
前記情報読み出し部で読み出された情報に含まれる前記第１の記録媒体の情報更新に関する情報を抽出する抽出部と、
前記情報読み出し部、前記接続部および前記抽出部を制御する中央制御部と
を備えた再生装置において、
前記中央制御部は、
前記抽出部で抽出された前記第１の記録媒体の情報更新に関する情報を含む更新データ取得情報を前記接続部を介して前記第２の記録媒体に書き込む更新データ取得情報書き込み手段と、
前記更新データ取得情報に基づいて外部の機器を介してダウンロード取得した前記第１の記録媒体に関する最新の更新情報が書き込まれた前記第２の記録媒体から前記接続部を介して前記最新の更新情報を読み出す更新情報取得手段と
を備えたことを特徴とする再生装置。
【請求項２】
中央制御部は、前記読み出された最新の更新情報および前記第１の記録媒体から読み出された情報から選択された情報を再生する再生手段を含んでいることを特徴とする請求項１記載の再生装置。
【請求項３】
更新データ取得情報は、ダウンロードアプリケーションを含んでいることを特徴とする請求項１記載の再生装置。
【請求項４】
ダウンロードアプリケーションは、第１の記録媒体に記憶されていることを特徴とする請求項３記載の再生装置。
【請求項５】
内部記憶部をさらに備え、
この内部記憶部にダウンロードアプリケーションが記憶されていることを特徴とする請求項３記載の再生装置。
【請求項６】
第１の記録媒体の情報更新に関する情報は、前記第１の記録媒体のディスク制作者識別子およびディスク識別子を含むことを特徴とする請求項１記載の再生装置。
【請求項７】
着脱可能な第１の記録媒体から情報を読み出す情報読み出し部と、
着脱可能な第２の記録媒体が接続され情報の読み書き機能を有する接続部と、
前記情報読み出し部で読み出された情報に含まれる前記第１の記録媒体の情報更新に関する情報を抽出する抽出部と、
前記情報読み出し部、前記接続部および前記抽出部を制御する中央制御部と
を備えた再生装置の再生方法であって、
前記抽出部で抽出された前記第１の記録媒体の情報更新に関する情報を含む更新データ取得情報を前記接続部を介して前記第２の記録媒体に書き込む更新データ取得情報書き込みステップと、
前記更新データ取得情報に基づいて外部の機器を介してダウンロード取得した前記第１の記録媒体に関する最新の更新情報が書き込まれた前記第２の記録媒体から前記接続部を介して前記最新の更新情報を読み出す更新情報取得ステップと、
前記読み出された最新の更新情報および前記第１の記録媒体から読み出された情報から選択された情報を再生する再生ステップと
を備えたことを特徴とする再生方法。
【発明の詳細な説明】
【技術分野】
【０００１】
本発明は、光ディスク等の情報記録媒体に記録された動画像情報の再生装置および再生方法に関するものであり、特にネットワーク接続機能を持たない再生装置および再生方法に関するものである。
【背景技術】
【０００２】
ＤＶＤをはじめとする従来の映像ディスクおよびその再生装置では、ディスクに記録されている映像情報の更新が考慮されていない。そのため、映像ディスク販売後の情報更新は不可能であった。これは、利用者にとっては最新情報取得が制限される事となり不便であり、コンテンツ制作者にとっては最新情報提供の機会が制限されると共に、字幕情報や追加情報の有無によって複数の版のディスクを制作、管理する必要があり、負担となっている。
【０００３】
そのため、ネットワークと再生装置のローカルストレージを利用して再生専用ディスクでも情報更新機能を実現する方法が提案されている（例えば、特許文献１）。
【０００４】
【特許文献１】特開２００５−１５９５８９  （段落００５７〜００７０、図１）
【発明の開示】
【発明が解決しようとする課題】
【０００５】
従来提案されている情報更新方式では再生装置にネットワーク接続機能が必要となるが、必ずしも再生装置がネットワーク接続機能を持っているとは限らない。そのため、ネットワーク接続機能を持たない再生装置では情報更新を行うことが不可能であった。また、ネットワーク接続機能を持っている再生装置であっても、必ずしもネットワークに接続されているとは限らない。例えば再生装置が置かれている部屋にネットワークが引き込まれていない場合や、ダイヤルアップ接続を使用するために再生装置からのネットワーク接続がルータ等によって禁止されている場合などである。
【０００６】
パソコン等を使用して別途更新情報をダウンロードしてローカルストレージに記録する方法も考えられるが、ディスクの持つ識別情報や認証情報が必要となり、また、ローカルストレージ上への記録位置等も指定する必要があるため一般利用者が使用するのは困難である。
【０００７】
本発明は上記課題を鑑みてなされたものであり、着脱可能なローカルストレージを持つがネットワーク接続機能を持たない動画像情報の再生装置やネットワーク接続機能を持つ動画像情報の再生装置であってもネットワークに接続されていない場合に、パソコン等を利用した手軽な情報更新機能を提供する事を目的とする。
【課題を解決するための手段】
【０００８】
本発明に係る再生装置は、着脱可能な第１の記録媒体から情報を読み出す情報読み出し部と、
着脱可能な第２の記録媒体が接続され情報の読み書き機能を有する接続部と、
前記情報読み出し部で読み出された情報に含まれる前記第１の記録媒体の情報更新に関する情報を抽出する抽出部と、
前記情報読み出し部、前記接続部および前記抽出部を制御する中央制御部と
を備え、
前記中央制御部は、
前記抽出部で抽出された前記第１の記録媒体の情報更新に関する情報を含む更新データ取得情報を前記接続部を介して前記第２の記録媒体に書き込む更新データ取得情報書き込み手段と、
前記更新データ取得情報に基づいて外部の機器を介してダウンロード取得した前記第１の記録媒体に関する最新の更新情報が書き込まれた前記第２の記録媒体から前記接続部を介して前記最新の更新情報を読み出す更新情報取得手段と
を備えたものである。
【００１０】
また、この発明に係る再生方法は、着脱可能な第１の記録媒体から情報を読み出す情報読み出し部と、
着脱可能な第２の記録媒体が接続され情報の読み書き機能を有する接続部と、
前記情報読み出し部で読み出された情報に含まれる前記第１の記録媒体の情報更新に関する情報を抽出する抽出部と、
前記情報読み出し部、前記接続部および前記抽出部を制御する中央制御部と
を備えた再生装置の再生方法であって、
前記抽出部で抽出された前記第１の記録媒体の情報更新に関する情報を含む更新データ取得情報を前記接続部を介して前記第２の記録媒体に書き込む更新データ取得情報書き込みステップと、
前記更新データ取得情報に基づいて外部の機器を介してダウンロード取得した前記第１の記録媒体に関する最新の更新情報が書き込まれた前記第２の記録媒体から前記接続部を介して前記最新の更新情報を読み出す更新情報取得ステップと
前記読み出された最新の更新情報および前記第１の記録媒体に記録されている情報から選択された情報を再生する再生ステップと
を含むものである。
【発明の効果】
【００１１】
この発明は以上のように構成されているので、ネットワーク接続機能を持たない再生装置でディスクを再生する際に、ローカルストレージ上にダウンロードアプリケーションを書き出し、このローカルストレージをパソコンなどの計算機に接続して、書き込まれているダウンロードアプリケーションを起動するだけで更新情報を取得することが出来るという、手軽な情報更新機能を提供することが出来る。
【発明を実施するための最良の形態】
【００１２】
実施の形態１．
【００１３】
図３はこの実施の形態を説明する再生装置の例である。再生装置１０００は着脱可能なディスク１１００から情報を読み出すための光ディスクドライブ１００１、メモリ１００２、ＡＶデコーダ１００４を備え、全体を制御するためのコントローラ１００５、プログラムやデータを記録したＲＯＭ１００６、ローカルストレージ２０００を着脱可能に接続するためのローカルストレージインタフェース１００３を備える。ローカルストレージインタフェース１００３としては、ＵＳＢ、ＣＦ、ＳＤメモリカード、ＣａｒｄＢｕｓ、ＥｘｐｒｅｓｓＣａｒｄ、ｅＳＡＴＡ等が使用可能である。また、ＲＯＭ１００６には再生装置のシステム制御に用いられるプログラムの他、パソコン上で実行可能なダウンロードアプリケーションが記録されている。このダウンロードアプリケーションはプログラムにダブルクリックで起動できるように付加情報を加えてファイル化されたアプリケーション、シェルスクリプトやバッチファイル、Ｐｅｒｌスクリプトなど汎用性の高い形式で作成され多くのパソコンで実行可能である。また、異なるアーキテクチャのパソコンで実行可能なように複数の実行形式のアプリケーションを持つことも出来る。
【００１４】
通常の再生時にはディスク１１００から光ディスクドライブ１００１を通じて読み出されたデータはいったんメモリ１００２上に蓄えられ、その後ＡＶデコーダ１００４によって映像信号に戻されてテレビなどの表示装置に送られ表示される。あるいは、メモリ１００２上のデータがコントローラ１００５によって解釈され、ディスク１１００の操作や、利用者へのユーザーインタフェース提供を行う。この場合、利用者はディスク１１００に入っている情報の範囲で映像情報や操作を楽しむことが可能である。
【００１５】
図１は本発明の再生装置の動作および再生方法を説明する模式図である。再生装置１０００は例えば前述の図３で示される再生装置で、本発明に係る再生装置である。この再生装置に着脱可能な第１の記録媒体、すなわちディスク１１００を挿入して、映像情報や制御情報などのデータを読み出すことが出来る。また、ローカルストレージインタフェース１００３を備えており、着脱可能な第２の記録媒体であるローカルストレージ２０００を接続してローカルストレージ２０００上にデータを書き出すことが出来るようになっている。
なお、説明のためローカルストレージ２０００、ローカルストレージ２０００’、ローカルストレージ２０００”と表記してあるが、同一のローカルストレージを示している。記録されているデータの内容の変化や操作ステップに対応させて説明を行いやすいように表記を変えたものである。
【００１６】
パーソナルコンピュータ（以後パソコンと略す）などの計算機３０００はローカルストレージ２０００を接続可能なインタフェースとネットワークインタフェースを備えており、ネットワーク上からデータを取得することが出来る。サーバ４０００はネットワークに接続されており、ディスク１１００の更新情報を提供する。
【００１７】
図２は図１で説明する機能の動作説明図である。以降、図１と図２を合わせて説明する。
【００１８】
まず、再生装置１０００にローカルストレージ２０００を接続しておく（Ｓ１００）。この時点ではローカルストレージ２０００にはディスク１１００に関する情報はまだ書き込まれていない。次にディスク１１００を挿入すると（Ｓ１１０）再生装置１０００はディスク１１００から情報の読み出しを開始する。ディスク１１００上にネットワークを利用した情報更新に関する情報を発見した場合、利用者に情報更新機能を利用するかどうかの確認を求める。利用者が情報更新機能の利用を求めた場合には、ディスクより、接続先ＵＲＬ、ディスク制作者識別子、ディスク識別子、認証情報といった所定の情報（ディスク識別情報）を収集する（Ｓ１２０）。
【００１９】
次にディスクから収集した情報をローカルストレージへ記録するのに適した形式に加工し、必要な場合は暗号化を行って、ＲＯＭ１００６から取り出したダウンロードアプリケーションと共にローカルストレージ２０００に書き込む（Ｓ１３０）。ダウンロードアプリケーションが書き込まれた状態のローカルストレージをローカルストレージ２０００’と表記することにする。書込が完了すると画面表示等によって利用者を促し、ローカルストレージ２０００’を取り外すようにする（Ｓ１４０）。
【００２０】
利用者は再生装置１０００から取り外したローカルストレージ２０００’をパソコン３０００に接続し（Ｓ２００）ローカルストレージ２０００’に記録されているデータを確認する。次にローカルストレージ２０００’に記録されているデータの中にあるダウンロードアプリケーションをダブルクリックなどによって起動する（Ｓ２１０）。ダウンロードアプリケーションは例えばアプリケーションのアーカイブとして作成されており、多くのパソコン上で動作可能である。
【００２１】
起動されたダウンロードアプリケーションはローカルストレージ２０００’上に一緒に記録されているディスクの接続先ＵＲＬ情報を用いてネットワーク上でサーバ４０００を見つけて接続し、同様にローカルストレージ２０００’上に記録されているディスク制作者識別子、ディスク識別子、認証情報といったディスク識別情報を送信して、サーバ４０００上でディスク１１００に対応した更新情報を検索し、ダウンロードを実行する（Ｓ２２０）。
【００２２】
パソコン３０００上にダウンロードされた更新情報は所定の形式で展開された後ローカルストレージ２０００’に書き込まれる（Ｓ２３０）。なお、ダウンロードアプリケーションは自分自身の起動された位置を調べることが出来るので、更新情報を書き込む際にはダウンロードアプリケーションが記録されていた位置を起点に所定の配置で書込を行う。そのため、利用者が更新情報の書込位置を指定する必要はない。
【００２３】
例えば、ローカルストレージのファイル構造の最上位にダウンロードアプリケーションを配置することが考えられる。この場合、ダウンロードアプリケーションは自分が起動された位置を調べ、この位置を起点に下層に向かってディレクトリ階層を作成し、データを書き込んでいくことになる。最上位にダウンロードアプリケーションを配置する場合はダウンロードアプリケーションやディスク識別情報のファイルにディスクのタイトル名を付加するなどし、複数のディスクの情報更新機能が共存できるようにする必要がある。
【００２４】
別の例として、ダウンロードアプリケーションやディスク識別情報をディスク制作者識別子やディスク識別子に基づいたディレクトリ階層を作成し、その下に配置することも出来る。この場合、ダウンロードアプリケーションは自分が起動された位置を調べ、この位置を起点に必要な場合は上位層にさかのぼってディレクトリ階層を作成し、データを書き込む。
その他ダウンロードアプリケーションとディスク識別情報を書き込む位置にはいくつものバリエーションが考えられる。
【００２５】
なお、更新情報が書き込まれた状態のローカルストレージをローカルストレージ２０００”と表記することにする。
書込が完了すると、画面表示等によって利用者を促し、ローカルストレージ２０００”を取り外すようにする（Ｓ２４０）。
【００２６】
利用者はパソコン３０００から取り外したローカルストレージ２０００”を再び再生装置１０００に接続する。再生装置１０００は更新情報を記録したローカルストレージ２０００”を接続されるとローカルストレージ２０００”内の更新情報を読み出し可能になる。更新情報がある場合の再生動作は、更新情報に含まれる更新リストをまず読み込み、ファイルなどのデータアクセス単位で、ディスク１１００からデータを読み出すかローカルストレージ２０００”内の更新情報からデータを読み出すかを決定する。読み出されたデータは通常再生時と同様にメモリ１００２にいったん蓄積された後、ＡＶデコーダ１００４に送られて映像信号として再生されたり、コントローラ１００５によって解釈されてディスクの動作やユーザーインタフェースの提供に使用されたりすることになる。
【００２７】
メモリ１００２上に読み込まれた後の動作は通常再生時と変わりはないが、メモリ１００２に読み込まれる際に、ディスク１１００のデータとローカルストレージ２０００”内の更新データの選択が行われるため、利用者やディスクから見るとディスク１１００が更新されて新しい情報提供が行われているように見える。このようにして、ネットワーク接続機能を持たない再生装置１０００でも、ローカルストレージ２０００にダウンロードアプリケーションを書き込み、パソコンとの連係動作を行うことによって、簡便な情報更新機能を提供することが出来る。
【００２８】
実施の形態２．
前記実施の形態ではダウンロードアプリケーションとディスク識別情報を別々に書き込む例を示したがディスク識別情報を利用者に見せたくない場合もある。また、ディスク識別情報を暗号化した場合、復号鍵は利用者の目に触れないようにする必要がある。この場合、アプリケーション内にディスク識別情報を埋め込む手法を取ることも出来る。
例えば、ダウンロードアプリケーションをソースコードの形でひな形として再生装置１０００に記録しておき、ディスク識別情報収集後にソースコードをディスク識別情報を含む形に書き換え、その後コンパイルやアーカイブなどの処理を行って実行形式に変換してローカルストレージ２０００に書き込みを行う。
また、ディスク識別情報としてダミーデータを埋め込んで実行形式を作成しひな形として再生装置１０００に記録しておき、ディスク識別情報に関する部分を後から書き換える方法も取れる。
このようにして、利用者にとって情報更新機能の操作を簡便に保ったまま、ディスク識別情報等が容易に利用者の目に触れることを防ぐことが出来る。
【００２９】
実施の形態３．
前記実施の形態１および２では再生装置１０００がダウンロードアプリケーションないしはダウンロードアプリケーションのひな形を持つ形態を説明した。
別の実施の形態としてディスク１１００がダウンロードアプリケーションを持つ形態も考えられる。
ディスク制作者がディスクのコンテンツデータを作成する際に将来の情報更新時に必要となる操作と情報をダウンロードアプリケーションとして作成しておき、ディスク１１００の製造時にコンテンツデータと一緒にこのダウンロードアプリケーションも記録しておく。
【００３０】
この場合の動作も実施の形態１の場合とほぼ同様で、ローカルストレージ２０００の接続された再生装置１０００にディスク１１００を挿入すると、再生装置１０００はディスク１１００を探索しダウンロードアプリケーションを持っているかどうかを調べる。ダウンロードアプリケーションを持っていた場合には、このダウンロードアプリケーションを読み出しローカルストレージ２０００上の所定の位置に書き込む。利用者はダウンロードアプリケーションの記録されたローカルストレージ２０００’をパソコン３０００に接続し、ダウンロードアプリケーションを起動して更新情報のダウンロードを行う。その後、更新情報の書き込まれたローカルストレージ２０００”を再生装置１０００に接続して更新された内容を楽しむことが出来る。
【００３１】
このようにローカルストレージを用いて再生装置とは別の装置を介しての情報更新機能を提供するため、ネットワーク接続機能を持たない再生装置でも情報更新機能を利用することが可能となる。また、ネットワーク接続機能を持っていても再生装置がネットワークに接続されていない場合にも同様に情報更新機能を利用することが出来る。
【図面の簡単な説明】
【００３２】
【図１】この発明を説明する模式図である。
【図２】この発明の動作を説明する動作フロー図である。
【図３】この発明の再生装置を示す模式図である。
【符号の説明】
【００３３】
１０００  再生装置、  １００１  光ディスクドライブ、  １００２  メモリ、  １００３  ローカルストレージインタフェース、  １００４  ＡＶデコーダ、  １００５  コントローラ、  １００６  ＲＯＭ、  １１００  ディスク、  ２０００  ローカルストレージ、  ２０００’  ローカルストレージ、  ２０００”  ローカルストレージ、  ３０００  パソコン、  ４０００  ネットワーク
【図１】
0004613870.tif 000002
【図２】
0004613870.tif 000003
【図３】
0004613870.tif 000004